(57)【要約】【課題】  医療用マスクを患者の顔面に押圧して装着する際に、マスク内の気密性を確保するとともに、患者への過度な応力集中を回避可能な医療用マスクの改良に関する。【解決手段】  患者の口及び鼻を覆うように配置される、伸展性を有する伸展シート３０と、外周部にエッジ部１１を有するフレーム１０であって、該配置された伸展シート３０が該患者の口及び鼻の周囲において該患者の顔に密着するよう、該エッジ部１１で該伸展シート３０を押圧可能なフレーム１０と、を備える。【選択図】  図１
2015192864.tif 000002
【特許請求の範囲】
【請求項１】
患者の口及び鼻を覆うように配置される、伸展性を有する伸展シートと、
外周部にエッジ部を有するフレームであって、前記配置された伸展シートが前記患者の口及び鼻の周囲において前記患者の顔に密着するよう、該エッジ部で前記伸展シートを押圧可能なフレームと、
を備える、医療用マスク。
【請求項２】
前記フレームは、両頬骨に夫々対向する第１の骨対向部及び第２の骨対向部と、顎先骨に対向する第３の骨対向部とを備える、
請求項１に記載の医療用マスク。
【請求項３】
前記フレームは、該フレームの外側面に、施術者の第１の指と係合する第１の指係合部と、該施術者の第２の指と係合する第２の指係合部とを備える、
請求項１又は２に記載の医療用マスク。
【請求項４】
前記第１の指係合部は、前記第１の骨対向部と前記第２の骨対向部とを結ぶ直線の垂直二等分線上であって、前記直線と前記垂直二等分線との交点を基準として前記第３の骨対向部が位置する側と反対側に配置される、
請求項３に記載の医療用マスク。
【請求項５】
前記フレームは、前記垂直二等分線上に、前記患者の口及び鼻と該フレームとの当接を回避するための凸条部を備える、
請求項４に記載の医療用マスク。
【請求項６】
前記フレームの平面視において、前記エッジ部のうち、前記第１の骨対向部から前記第３の骨対向部に至る第１のエッジ部及び前記第２の骨対向部から第３の骨対向部に至る第２のエッジ部は、前記第１の骨対向部、前記第２の骨対向部及び前記第３の骨対向部を結んで形成される仮想三角形以内に位置し、
前記フレームの側面視において、前記エッジ部のうち、前記第１のエッジ部は、前記第１の骨対向部と前記第３の骨対向部とを結ぶ第１の仮想直線より上側に位置し、前記第２のエッジ部は、前記第２の骨対向部と前記第３の骨対向部とを結ぶ第２の仮想直線より上側に位置する、
請求項２〜５のいずれか一項に記載の医療用マスク。
【請求項７】
患者の口及び鼻を覆うように配置され、少なくとも該患者の口及び／又は鼻に対向する部分に開口部が設けられている、伸展性を有する伸展シートと、
外周部にエッジ部を有するフレームであって、前記配置された伸展シートが前記患者の口及び鼻の周囲において前記患者の顔に密着するよう、該エッジ部で前記伸展シートを押圧可能なフレームと、
を備える、医療用マスク。
【請求項８】
外周部にエッジ部を有するフレームとともに医療用マスクに用いるための伸展シートであって、
前記伸展シートは患者の口及び鼻の周囲を覆うように配置され、該伸展シートにおいて少なくとも該患者の口及び／又は鼻に対向する部分に開口部が設けられている、
医療用マスクに用いるための伸展シート。
【請求項９】
患者の口及び鼻の周囲を覆うように配置される伸展シートとともに医療用マスクに用いるためのフレームであって、
前記フレームは、その外周部にエッジ部を有し、前記伸展シートが前記患者の口及び鼻の周囲において該患者の顔に密着するよう、該エッジ部で前記伸展シートを押圧可能なフレームである、
医療用マスクに用いるためのフレーム。
【発明の詳細な説明】
【技術分野】
【０００１】
この発明は医療用マスクの改良に関する。
【背景技術】
【０００２】
従来医療現場において、医療用マスクは、救急蘇生用手動呼吸装置に含まれるマスク、酸素マスク、麻酔用マスク等、種々の用途に用いられている。このような用途に用いられる医療用マスクの例として、特許文献１には、ポンプとマスクとを含む救急蘇生用手動呼吸装置が開示されている。
特許文献１に開示されるマスクは、マスクの患者顔面への密着性を高め、マスクの気密性を高めることを目的として、該マスクにおいて患者と接触する部分に、高伸縮性及び低反発性のゲル状合成樹脂を設ける点が開示されている。
【先行技術文献】
【特許文献】
【０００３】
【特許文献１】特開２００３−３２５６２９号公報
【発明の開示】
【発明が解決しようとする課題】
【０００４】
本発明者らは、マスクの気密性をより確実なものとするとともに、マスクの構造をより簡易なものとすべく鋭意検討を重ねてきた。その結果、一枚物の伸展性伸展シートを用いて患者の口及び鼻を覆い、上記患者の口及び鼻の周囲において該伸展シートの上からエッジ部を有するフレームで押圧することにより、上記課題を解決できることに想到した。
【課題を解決するための手段】
【０００５】
本発明は上記した課題を解決するためになされたものであり、本発明の第１の局面は次のように規定される。即ち、
患者の口及び鼻を覆うように配置される、伸展性を有する伸展シートと、
外周部にエッジ部を有するフレームであって、前記配置された伸展シートが前記患者の口及び鼻の周囲において前記患者の顔に密着するよう、該エッジ部で前記伸展シートを押圧可能なフレームと、
を備える、医療用マスク。
【０００６】
このように規定される第１の局面の医療用マスクによれば、フレームのエッジ部で伸展性伸展シートを押圧するため、該伸展シートが患者の顔面において密着し、マスクの気密性が向上する。すなわち、フレームのエッジ部で伸展シートを押圧して、術者のフレーム押圧力が患者の顔面に集中し易くする。一方、該フレーム押圧力で患者の顔面が傷つくことのないよう、フレーム押圧力の過度な応力集中を適度に低減するために伸展シートの伸展性を利用する。例えば、このように気密性の高いマスクを酸素療法に用いた場合、顔面と酸素マスクとの間からの酸素漏出が抑制されるため、該療法に必要な酸素使用量を減少させることができるとともに、必要な酸素量を精度良く患者に投与することができる。また、該マスクは、伸展シートとフレームとが別体に構成されるため、特許文献１に記載のマスクのように、フレームに伸展シートを保持するための保持構造を要することがなく、マスクの構造を簡易なものとすることができる。また、伸展シートとフレームとが別体であれば、患者に応じて伸展シートのみを交換可能であるため衛生的である。上記のように、本発明の医療用マスクによれば、マスクからの酸素漏出が抑制されるため、漏洩酸素ガスによる引火等二次災害の発生防止にも効果を奏する。
【０００７】
本発明の第２の局面は次のように規定される。即ち、
上記医療用マスクにおいて、前記フレームは、両頬骨に夫々対向する第１の骨対向部及び第２の骨対向部と、顎先骨に対向する第３の骨対向部とを備える。
フレームで患者の顔面を押圧する際、顔肉が厚い部分ではその押圧力によって顔肉が移動しやすく、フレームが施術者の意図した位置からずれやすい場合がある。その一方、顔肉が薄い部分では押圧時の顔肉の移動が少ないためフレームの位置ズレも起こりにくい。そこで、第２の局面に規定される医療用マスクでは、フレーム押圧時の位置ズレを軽減すべく、顔面のうち、顔肉が薄く、押圧時の移動が少ない両頬骨及び顎先骨に対応する位置に重点的に押圧力が作用するよう、フレームに上記骨対向部を設けた。このような医療用マスクの構造は、特に、人工呼吸の従来法である、マスクを患者顔面に押圧するとともに顔面上側へ引き上げるＥＣ法に好適に用いられる。同様に、マスクを患者顔面に押圧するとともに顔面下側へ引き下げて行われるマスクの使用法においても好適に用いられる。
【０００８】
本発明の第３の局面は次のように規定される。即ち、
上記医療用マスクにおいて、前記フレームは、該フレームの外側面に、施術者の第１の指と係合する第１の指係合部と、該施術者の第２の指と係合する第２の指係合部とを備える。
このように規定される第３の局面の医療用マスクでは、施術者がフレームを押圧し引き上げ等する際に指を指係合部に係合することができるため、施術者はフレームを通して患者顔面に押圧力をかけやすくなり、ひいてはマスクの気密性を高めることができる。
【０００９】
本発明の第４の局面は次のように規定される。即ち、
上記医療用マスクにおいて、前記第１の指係合部は、前記第１の骨対向部と前記第２の骨対向部とを結ぶ直線の垂直二等分線上であって、前記直線と前記垂直二等分線との交点を基準として前記第３の骨対向部が位置する側と反対側に配置される。
このように規定される第４の局面の医療用マスクでは、施術者がフレームを患者顔面上側へ引き上げ、あるいは、下側へ引き下げる際に、力の作用する方向へ指係合部を設けるため、当該引き上げあるいは引き下げ動作に際してフレームを安定的に患者顔面へ押圧することができる。
【００１０】
本発明の第５の局面は次のように規定される。即ち、
上記医療用マスクにおいて、前記フレームは、前記垂直二等分線上に、前記患者の口及び鼻と該フレームとの当接を回避するための凸条部を備える。
このように規定される第５の局面の医療用マスクでは、フレームにおいて、患者の口及び鼻に対応する部分に凸条部を備えるため、患者顔面とフレームとの当接を回避して患者の不快さを軽減できる。
【００１１】
本発明の第６の局面は次のように規定される。即ち、
上記医療用マスクにおいて、前記フレームの平面視において、前記エッジ部のうち、前記第１の骨対向部から前記第３の骨対向部に至る第１のエッジ部及び前記第２の骨対向部から第３の骨対向部に至る第２のエッジ部は、前記第１の骨対向部、前記第２の骨対向部及び前記第３の骨対向部を結んで形成される仮想三角形以内に位置し、
前記フレームの側面視において、前記エッジ部のうち、前記第１のエッジ部は、前記第１の骨対向部と前記第３の骨対向部とを結ぶ第１の仮想直線より上側に位置し、前記第２のエッジ部は、前記第２の骨対向部と前記第３の骨対向部とを結ぶ第２の仮想直線より上側に位置する。
このように規定される第６の局面の医療用マスクでは、仰向け状態の患者顔面にマスクを装着することを考慮し、仰向け状態の患者顔面の典型的な三次元形状に沿うようにフレームを形成しているため、患者への押圧による負担を軽減しつつ、患者顔面とフレームとの密着性をより高め、マスク内の気密性をより良好なものとすることができる。
【００１２】
本発明の第７の局面は次のように規定される。即ち、
患者の口及び鼻を覆うように配置され、少なくとも該患者の口及び／又は鼻に対向する部分に開口部が設けられている、伸展性を有する伸展シートと、
外周部にエッジ部を有するフレームであって、前記配置された伸展シートが前記患者の口及び鼻の周囲において前記患者の顔に密着するよう、該エッジ部で前記伸展シートを押圧可能なフレームと、
を備える、医療用マスク。
このように規定される第７の局面の医療用マスクによれば、第１の局面で説明した作用に加え、シートを安価に提供できる。
【図面の簡単な説明】
【００１３】
【図１】（Ａ）は、本発明の実施の形態の医療用マスク１を装着する際の患者と医療用マスク１との位置関係を、（Ｂ）は、医療用マスク１を装着後の状態を示す図である。
【図２】本発明の実施の形態の医療用マスク１に用いられるフレーム１０の外観を示す六面図である。
【図３】本発明の実施の形態の医療用マスク１の使用状態を示す図である。
【図４】本発明の他の実施の形態の医療用マスクに用いられるフレーム１１０を示す正面図である。
【図５】本発明の他の実施の形態の医療用マスクに用いられる孔のあいた伸展シート２００を示す正面図である。
【図６】孔のあいた他の伸展シート３００を示す正面図である。
【発明を実施するための形態】
【００１４】
（第１実施形態）
以下、本発明の第１実施形態にかかる医療用マスク１について説明する。
まず、図１（Ａ）に、医療用マスク１を装着する際の患者と医療用マスク１との位置関係を、図１（Ｂ）に、医療用マスク１装着後の状態を示す。図１（Ａ）及び（Ｂ）に示すように、医療用マスク１は、フレーム１０及び伸展シート３０を有する。そして、使用の際には、患者の口及び鼻を覆うように伸展シート３０を被せ、その上からフレーム１０で押圧することにより、医療用マスク１内において高い気密性を発揮する。
【００１５】
図２に、フレーム１０の（Ａ）正面図、（Ｂ）右側面図、（Ｃ）左側面図、（Ｄ）平面図、（Ｅ）底面図、（Ｆ）背面図を示す。
フレーム１０は、該フレーム１０を患者の顔面に配置した際に、該フレーム１０内に患者の口及び鼻が収まる形状を有する。また、伸展シート３０を患者の口及び鼻の周囲にて押圧可能なように、その外周部にエッジ部１１を設けている。エッジ部１１の厚みは薄いほど、フレーム押圧時に伸展シート３０へ押圧力が集中して伸展シート３０と患者顔面とが密着し、マスク１の気密性が優れる。一方、エッジ部１１が薄いとその単位面積あたりにかかる押圧力が増大し、患者顔面に過度な力がかかりそこに内出血や裂傷などを生じさせかねない。本発明者らの検討によれば、伸展シート３０に接触するエッジ部１１の厚みは、好ましくは１〜１０ｍｍ、より好ましくは３〜５ｍｍである。エッジ部１１の厚みは、フレーム１０の外周部において均一であっても良いし、適宜変化させても良い。フレーム１０を構成する材質は、施術者の押圧力に耐え得、施術者の押圧力を無駄なく伸展シートに作用させることができるよう、硬質の材質であることが好ましい。このような材質であれば、目的に応じて種々の材質を用いることができる。例えば、地震や火事等災害時においてもその形状を維持できるよう、金属、耐衝撃性や耐熱性を有する樹脂組成物を用いても良い。金属としてはジュラルミン等が、樹脂組成物としてはポリカーボネート樹脂等が挙げられる。また、施術者が患者の口や鼻を観察可能なように、フレームを透明な材質で構成したり、フレームに観察用の窓を形成したりしても良い。フレームを透明な材料で形成すれば観察用の窓は不要である。
【００１６】
フレーム１０は、両頬骨に夫々対向する位置に第１の骨対向部１２及び第２の骨対向部１３を備え、顎先骨に対向する位置に第３の骨対向部１４を備える。これらの骨対向部は、フレーム１０を平面視において外側へ膨出させることにより設けられる。フレーム１０で患者の顔を押圧する際、これらの骨対向部が夫々両頬骨及び顎先骨を捉えることができるため、フレーム１０の位置ズレを抑制することができる。
本実施の形態の医療用マスク１において、第１の骨対向部１２及び第２の骨対向部１３は、夫々第１の骨対向点１２０及び第２の骨対向点１３０を備えている。これらの骨対向点は、第１の対向部１２及び第２の対向部１３を側面視において顔面側へ突出させて設けられる。また、第３の骨対向部１４は、顎先部を保持するよう突出させることにより設けられた第３の骨対向点１４０を備えている。このようにして設けられた骨対向点１２０、１３０及び１４０は、フレーム１０を押圧し、引き上げる際に、夫々頬骨の下部及び顎先骨を捉えることができ、医療用マスク１の位置ズレを回避することができる。
【００１７】
フレーム１０は、フレーム１０の外側面に、施術者の第１の指と係合する第１の指係合部１５と、施術者の第２の指と係合する第２の指係合部１６とを備える。例えば、ＥＣ法において、施術者は、第１の指係合部１５に親指を係合させ、第２の指係合部１６に人差し指を係合させて、フレーム１０を押圧し、引き上げることによって、フレーム１０を安定的に患者の顔面へ密着させることが可能となる。ここで、第１の指係合部１５は、施術者がフレーム１０を押圧し、引き上げる際、施術者の指がフレーム１０上を滑ることを回避できるよう設けられれば、その位置、形状は特に限定されない。好ましい例として、医療用マスク１では、第１の骨対向部１２と第２の骨対向部１３とを結ぶ直線の垂直二等分線上であって、この直線と垂直二等分線との交点を基準として第３の骨対向部１４が位置する側と反対側に、第１の指係合部１５としての凸部を配置している。第１の指係合部１５は、凸部としてのみならず、凹部として設けられても良い。医療用マスク１において、第２の指係合部１６は、上記垂直二等分線上であって、第１の指係合部１５に親指を係合させたとき、人差し指を係合可能な位置に傾斜部として設けられている。他の例として、第２の指係合部１６は、凸部や凹部として設けられていても良い。
【００１８】
フレーム１０は、上記垂直二等分線上に凸条部１７を備える。当該凸条部１７は、患者の口及び鼻とフレーム１０との当接を回避するために形成されればその形状は特に限定されない。また、凸条部１７は、上記垂直二等分線上全体に形成されていても良いが、患者の口及び鼻に対応する位置に部分的に形成されていても良い。
フレーム１０は、平面視及び側面視において、一般的な人の顔面にフィット可能な形状に形成することが好ましい。例えば平面視形状として、第１の骨対向点１２０から第３の骨対向点１４０に至る第１のエッジ部１９、第２の骨対向点１３０から第３の骨対向点１４０に至る第２のエッジ部２０は、第１の骨対向点１２０、第２の骨対向点１３０及び第３の骨対向点１４０を結んで形成される仮想三角形に沿って、あるいは、外仮想三角形内に位置することが好ましい。また、側面視形状として、第１のエッジ部１９及び第２のエッジ部２０は、第１の骨対向点１２０と第３の骨対向点１４０とを結んで形成される仮想直線及び第２の骨対向点１３０と第３の骨対向点１４０とを結んで形成される仮想直線より上側に位置することが好ましい。
また、このフレーム１０のように、開口部１８、１９を設けていても良い。施術中において、施術者は、当該開口部から患者の顔面に載置された伸展シートを目視し、その状態を確認することができるため、施術の安全性を高めることができる。このような開口部は、該フレームがジュラルミン等の不透明素材で形成されている場合に好ましく設けられる。
【００１９】
伸展シート３０は、全方向に伸展性を有する一枚物の伸展シートであり、患者の口及び鼻を覆うように配置される。更には、伸展シート３０とフレーム１０とを重ね合わせたとき、平面視で、伸展シート３０のその周縁部はフレーム１０のエッジ部１１より外側に位置するものとする。
伸展シート３０を介して患者の顔へフレーム１０のエッジ部１１を押圧すると、患者の顔には傾斜があるので、この傾斜に沿ってエッジ部１１はずれようとする（このずれが、ときには患者の顔に裂傷や内出血を引き起こすおそれがある）。換言すれば、顔の表面に沿った力のベクトルが生じる。伸展シート３０が伸展性を有すると、顔の表面に沿った力のベクトルの大部分は、伸展シート３０が伸展することにより吸収される。よって、患者の顔にかかる負担が低減する。
このとき、伸展シート３０は連続した一枚ものであることが好ましい。伸展シート３０の気密性を確保することはもとより、そのずれを防止するためである。伸展シート３０自体がずれると、エッジ部１１の力がそのまま患者の顔に影響するおそれがあるからである。患者の顔は歪んだ球状であるため、凡そフレーム１０のエッジ部１１により、伸展シート３０の全周が顔にそって下方に押圧される。従って、エッジ部１１が当接する部分には、エッジ部１１により下方に押圧される力と、それに抗する力（伸展シートにおいて当該当接部分と点対象に位置する部分にも下方に力がかかっている）がかかり、伸展シート３０自体のずれがより確実に防止され、もって、エッジ部１１の力が効率的に伸展シート３０の伸展に変換される。
【００２０】
連続した一枚ものの伸展シート３０の場合、その形状を顔の形に沿った半球状にすることが好ましい。そのとき、伸展シート３０は、フレーム１０の内面からは、好ましくは全面的に、離隔しているものとする。フレーム１０の内面に密着していると伸展シート３０の伸展性が抑制されるおそれがある。また、伸展シート３０を顔の形に沿った半球状とすることにより、エッジ部１１により伸展シート３０が伸展させられても、患者の鼻、口及び目にかかる負担が軽減される。
かかる伸展シートの材料は、十分な伸展性を備えれば特に限定されず、マスクの用途などに応じて適宜選択可能であるが、シリコーンゲル等を用いることができる。
伸展シートの厚さも、マスクの用途、患者の顔の状態等によって適宜選択可能であり、例えば、０．５〜７ｍｍとすることが好ましい。
【００２１】
図３に、この第１実施形態の医療用マスク１の使用状態を示す。このように施術者は、患者顔面に配置された伸展シート３０を介してフレーム１０を押圧する。その際、第１の指係合部１５に親指を係合させ、第２の指係合部１６に人差し指を係合させることにより、フレーム１０上で指が安定し、押圧力を無駄なく患者顔面に作用させることができる。
【００２２】
（第２実施形態）
図４に、第２実施形態の医療用マスクに用いられるフレーム１１０を示す。図４において、図１及び図２と同一の要素には同一の符号を付して、その説明を部分的に省略する。
フレーム１１０には、例えば、酸素ボンベ等に接続した酸素チューブを挿通させるためのチューブ用支持孔１０１が形成されている。チューブ用支持孔１０１の数は特に限定されず、１つでも良く、２つ以上であっても良い。チューブ用支持孔１０１が形成される位置は、任意であり、図４に示すようにフレーム１１０の上側に形成されていても良く、また、フレーム１１０の下側に形成されても良い。チューブ用支持孔１０１は、異なる外径を有するチューブに対応可能なように、支持孔の径を調整可能な構造とすることが好ましい。
第２の実施形態の医療用マスクにおいて、伸展シートには、フレーム１１０に設けられたチューブ用支持孔１０１に対応する位置に貫通孔が設けられる。例えば、酸素ボンベに接続された酸素チューブが、チューブ用支持孔１０１及び貫通孔を介して伸展シートを挿通することで、患者顔面と伸展シートとの間に形成された空間に酸素を送入することができる。このとき、伸展シートの貫通孔の径はチューブの外径より小さくして、チューブが伸展シートに締り嵌めの状態とすることが好ましい。気密性確保のためである。
【００２３】
（第３実施形態）
この発明の第３実施形態として、孔のあいた伸展シートの例を図５及び図６に示す。図５及び図６において伸展シートは太線で記載され、他方マスク１０は仮想線で記載されている。
図５に示す伸展シート２００では患者の口と鼻と表出できるように、孔が大きく形成されている。図５において符号２０１は伸展シート２００の内周縁、符号２０３は外周縁を示す。このように図５に示す伸展シート２００の内周縁２０１及び外周縁２０３はフレーム１０のエッジ部１１と実質に平行に形成されている。
このように伸展シートに大きな孔を設けるときは、その内周縁２０１をフレーム１０に固着し、その他の部分はフレーム１０に対してフリーとして、エッジ部１１による押圧時に伸展シートがずれることを防止する。
【００２４】
孔のあいた他の例の伸展シート３００を図６に示す。この伸展シート３００に形成される孔は比較的小さく、患者の鼻が表出する程度である。図６において、符号３０１は伸展シート３００の内周縁を示す。その外周縁３０３はフレーム１０のエッジと並行に形成されている。
【００２５】
以上、本発明の実施の形態について説明してきたが、これらのうち、２つ以上の実施の形態を組み合わせて実施しても構わない。あるいは、これらのうち、一の実施の形態を部分的に実施しても構わない。さらには、これらのうち、二以上の実施の形態を部分的に組み合わせて実施しても構わない。
この発明は、上記発明の実施の形態の説明に何ら限定されるものではない。特許請求の範囲の記載を逸脱せず、当業者が容易に想到できる範囲で種々の変形態様もこの発明に含まれる。
【符号の説明】
【００２６】
１  医療用マスク
１０  １１０  フレーム
１１  １９  ２０  エッジ部
１２  １３  １４  骨対向部
１５  １６  指係合部
１７  凸条部
１８  開口部
３０、２００、３００  伸展シート
【図２】
2015192864.tif 000003
【図５】
2015192864.tif 000004
【図６】
2015192864.tif 000005
【図１】
2015192864.tif 000006
【図３】
2015192864.tif 000007
【図４】
2015192864.tif 000008